(57)【要約】【課題】熱交換能力の向上と蒸気の供給圧力の低減とを両立させる。【解決手段】熱交換器１００は、水を貯留する貯留部１４が設けられた容器１０と、貯留部１４の水中に蒸気を供給する供給部２と、貯留部１４内に収容され、貯留部１４の水及び供給部２から供給された蒸気と熱交換を行う伝熱管３とを備えている。供給部２は、水平に蒸気を噴出する。【選択図】図１
2018063096.tif 000002
【特許請求の範囲】
【請求項１】
蒸気から熱を回収する熱交換器であって、
液体を貯留する貯留部が設けられた容器と、
前記貯留部の液体中に蒸気を供給する供給部と、
前記貯留部内に収容され、前記貯留部の液体及び前記供給部から供給された蒸気と熱交換を行う伝熱部とを備え、
前記供給部は、前記貯留部の液体の深さ方向に対して傾斜又は直交する方向に蒸気を噴出することを特徴とする熱交換器。
【請求項２】
請求項１に記載の熱交換器において、
前記供給部から噴出された蒸気の流れを案内するガイドをさらに備え、
前記ガイドは、前記供給部から噴出された蒸気を、前記深さ方向に対して傾斜又は直交する方向に案内することを特徴とする熱交換器。
【請求項３】
請求項２に記載の熱交換器において、
前記ガイドは、蒸気の浮上を規制して、蒸気を前記深さ方向に対して傾斜又は直交する方向に案内する上壁を有し、
前記伝熱部の少なくとも一部は、前記上壁の下方に配置されていることを特徴とする熱交換器。
【請求項４】
請求項１乃至３の何れか１つに記載の熱交換器において、
前記供給部は、前記貯留部において、前記深さ方向に延びる軸心回りの旋回流が発生する方向に蒸気を噴出することを特徴とする熱交換器。
【請求項５】
請求項４に記載の熱交換器において、
前記供給部は、前記貯留部において、前記深さ方向に延びる軸心回りの周方向における複数箇所から蒸気を噴出することを特徴とする熱交換器。
【発明の詳細な説明】
【技術分野】
【０００１】
ここに開示された技術は、蒸気から熱を回収する熱交換器に関する。
【背景技術】
【０００２】
従来より、蒸気から熱を回収する熱交換器が知られている。例えば、特許文献１には、容器と、容器内に蒸気を供給する供給部と、容器内に配置された伝熱部とを備えた熱交換器が開示されている。容器内には、水が貯留されており、伝熱部の少なくとも一部は、容器内の貯留水に浸かっている。供給部は、容器の底から蒸気を供給する。供給された蒸気は、容器の底から貯留水の水面に向かって浮上していき、その間に貯留水及び伝熱部と熱交換し、凝縮する。凝縮により発生したドレンは、貯留水の一部となる。伝熱部は、蒸気から熱を直接回収すると共に、貯留水からも熱を回収する。伝熱部の内部には水が流通しており、伝熱部によって回収された熱は、内部の水を介して熱交換器の外部に運ばれていく。
【先行技術文献】
【特許文献】
【０００３】
【特許文献１】特開２０１６−１０９３７４号
【発明の概要】
【発明が解決しようとする課題】
【０００４】
ところで、前述のような熱交換器において熱交換能力を向上させるためには、蒸気と貯留水との接触時間が長くなるように、貯留水の深さを深くすることが考えられる。しかしながら、貯留水の深さを深くすると、水頭が大きくなり、蒸気を供給する際の圧力を高くする必要がある。例えば、蒸気使用装置や蒸気使用設備からブロワを介して蒸気を熱交換器に供給する場合には、ブロワの能力を向上させなければならない。つまり、熱交換能力を向上させるために、蒸気使用装置又は蒸気使用設備の蒸気排出能力を向上させなければならない。このようなことから、熱交換器に蒸気を供給するのに必要な圧力は低いことが好ましい。
【０００５】
ここに開示された技術は、かかる点に鑑みてなされたものであり、その目的とするところは、熱交換能力の向上と蒸気の供給圧力の低減とを両立させることにある。
【課題を解決するための手段】
【０００６】
ここに開示された熱交換器は、液体を貯留する貯留部が設けられた容器と、前記貯留部の液体中に蒸気を供給する供給部と、前記貯留部内に収容され、前記貯留部の液体及び前記供給部から供給された蒸気と熱交換を行う伝熱部とを備え、前記供給部は、前記貯留部の液体の深さ方向に対して傾斜又は直交する方向に蒸気を噴出する。
【発明の効果】
【０００７】
ここに開示された熱交換器によれば、熱交換能力の向上と蒸気の供給圧力の低減とを両立させることができる。
【図面の簡単な説明】
【０００８】
【図１】図１は、熱交換器１００を図２のＩ−Ｉ線で切断した縦断面図である。
【図２】図２は、熱交換器１００を図１のII−II線で切断した横断面図である。
【図３】図３は、熱交換器１００を図１のII−II線で切断した斜視図である。
【発明を実施するための形態】
【０００９】
以下、例示的な実施形態を図面に基づいて詳細に説明する。
【００１０】
図１は、熱交換器１００を図２のＩ−Ｉ線で切断した縦断面図である。図２は、熱交換器１００を図１のII−II線で切断した横断面図である。図３は、熱交換器１００を図１のII−II線で切断した斜視図である。
【００１１】
熱交換器１００は、水を貯留する容器１０と、容器１０内に蒸気を供給する供給部２と、容器１０内に収容され、内部に熱媒体としての水が流通しており、貯留水及び蒸気と熱交換する伝熱管３と、容器１０内の貯留水を排出するオーバーフロー管４と、容器１０内の空気及び蒸気を排出する開放管５と、供給部２から供給される蒸気の流れを案内するガイド６とを備えている。熱交換器１００は、蒸気及び貯留水と伝熱管３内の水とを熱交換させ、蒸気の熱を温水として熱回収する。尚、オーバーフロー管４及び開放管５は、図１にのみ図示している。
【００１２】
容器１０は、円筒状に形成された周壁１１と、天井部１２と、底部１３とを有している。容器１０の下部は、水を貯留する貯留部１４となっている。貯留部１４には、初期状態として所定量の貯留水が貯留されていると共に、蒸気から発生したドレンを貯留水として貯留する。
【００１３】
オーバーフロー管４は、水平方向に延び、容器１０の周壁１１を貫通している。オーバーフロー管４の下端部には、貯留水（ドレン）を排出するための配管（図示省略）が接続される。貯留部１４に溜まった貯留水（ドレン）の水位がオーバーフロー管４の高さに達すると、一部のドレンは、オーバーフロー管４を介して排出される。つまり、オーバーフロー管４は、貯留部１４の上限水位を規定する。
【００１４】
開放管５は、容器１０の周壁１１を貫通している。開放管５は、オーバーフロー管４よりも高い位置に配置されており、容器１０の上部空間を容器１０の外部空間と連通させる。
【００１５】
供給部２は、容器１０の貯留水中に蒸気を供給する。供給部２は、環状の共通管２１と、共通管２１から分岐する複数（この例では８本）の分岐管２２とを有している。
【００１６】
共通管２１は、容器１０の周壁１１を囲むように配置されている。共通管２１には、蒸気供給管（図示省略）が接続されている。蒸気供給管には、例えば、蒸気使用装置の出口側又はドレンタンク等に接続されており、蒸気が供給される。
【００１７】
分岐管２２は、周壁１１を貫通している。分岐管２２の上流端は、共通管２１に接続されている。分岐管２２は、共通管２１から水平に延びて周壁１１を貫通する上流部２３と、上流部２３から下方に延びる中間部２４と、中間部から水平に延びる下流部２５とを有している。下流部２５は、貯留部１４の貯留水中に浸かっている。
【００１８】
下流部２５は、容器１０の軸心Ｘを中心とする周方向に蒸気を噴出する。この例では、下流部２５は、水平方向であって、容器１０の軸心Ｘを中心とする半径方向に交差する方向に延びている。より具体的には、下流部２５は、水平方向であって、下流部２５の噴口における、軸心Ｘを中心とする接線方向に対して少し外側（即ち、軸心Ｘから離れる側）に向かって蒸気を噴出するように延びている。これら下流部２５からの蒸気の噴出により、貯留水に軸心Ｘ回りの旋回流が生じる。
【００１９】
ガイド６は、分岐管２２ごとに設けられている。つまり、ガイド６は、分岐管２２と同じ８個設けられている。ガイド６は、上壁６１と一対の側壁６２とを有している。上壁６１は、長方形状に形成されている。一対の側壁６２は、長方形状に形成され、上壁６１のそれぞれの長辺から垂下している。ガイド６は、分岐管２２の下流部２５を囲む状態で容器１０の底部１３に載置される。ガイド６は、上壁６１、側壁６２、及び容器１０の底部１３によって閉断面を有する流路を形成する。ガイド６は、流路が下流部２５からの蒸気の噴射方向に沿うように載置されている。すなわち、下流部２５は、ガイド６が形成する流路内に蒸気を噴出する。
【００２０】
伝熱管３は、容器１０の周壁１１に沿って周回するようにコイル状に形成されている。尚、図１〜３では、伝熱管３を簡略化して一周のみ図示しているが、伝熱管３は複数回、周回している。伝熱管３の大部分（例えば、容器１０内を周回している部分）は、貯留部１４の貯留水中に浸かっている。伝熱管３は、ガイド６内を通るように配置されている。伝熱管３の一端部３１及び他端部３２は、鉛直方向に延び、天井部１２を貫通し、容器１０の外側まで延びている。伝熱管３の一端部３１には、水供給管（図示省略）が接続され、伝熱管３の他端部３２に、水排出管（図示省略）が接続されている。伝熱管３の一端部３１から供給された冷水は、伝熱管３の内部を流通し、他端部３２から排出される。冷水は、伝熱管３を流通する際に蒸気及び貯留水と熱交換して熱を回収する。伝熱管３を流れる水の向きは、図１に示すように、分岐管２２が蒸気を噴出する向き（即ち、貯留水の旋回流の向き）とは逆向きになっている。尚、伝熱管３は、伝熱部の一例である。
【００２１】
このように構成された熱交換器１００の動作について説明する。
【００２２】
伝熱管３には、一端部３１から他端部３２へ向かって冷水が流通している。一方で、供給部２から容器１０内に蒸気が供給される。容器１０の貯留部１４には初期状態の貯留水が存在する。供給部２の分岐管２２は、貯留水に浸かっており、貯留水中に蒸気を供給する。分岐管２２は、水平方向であって、容器１０の軸心Ｘ回りの周方向に蒸気を噴出する。分岐管２２から噴出された蒸気は、ガイド６によって案内され、噴出方向への流れがしばらく維持される。蒸気は、貯留水中を流通する間に、貯留水と熱交換し、凝縮してドレンとなる。ドレンは、貯留水と混ざり合い、貯留水が増加する。貯留水は、蒸気との熱交換及びドレンの混合によって温度が上昇する。貯留水は、伝熱管３と熱交換する。また、一部の蒸気は、伝熱管３と直接熱交換する。伝熱管３内の水は、伝熱管３を介して貯留水及び蒸気から熱を受け取り、温水となる。こうして、蒸気の熱が伝熱管３内の水によって回収される。
【００２３】
貯留水が増加していくと、やがて、貯留水の水位は、オーバーフロー管４の高さに達する。すると、貯留水の一部は、オーバーフロー管４から排出されていく。また、供給部２から供給される蒸気に空気が混入している場合、空気は、貯留水を通過し、容器１０の上部空間に滞留する。最終的に、空気は、開放管５から容器１０の外部に排出される。
【００２４】
このように構成された熱交換器１００においては、蒸気が供給部２から貯留水中の水平方向に噴出されるので、蒸気を単純に上方に噴出する構成と比較して、蒸気が貯留水中を進む距離を長くすることができる。これにより、蒸気を貯留水の深い位置に噴出しなくても、蒸気と貯留水との接触時間を確保することができ、熱交換能力を確保することができる。それに加えて、蒸気を貯留水の深い位置に供給しなくてもよいので、蒸気の供給圧力を低減することができる。その結果、熱交換能力の向上と供給圧力の低減を両立することができる。
【００２５】
さらに、供給部２から噴出された蒸気を水平方向に案内するガイド６を設けることによって、貯留水中に噴出された蒸気は、より長い間、水平方向に流れる。これにより、蒸気と貯留水との接触時間をより長くすることができる。
【００２６】
特に、ガイド６は、蒸気の浮上を規制する上壁６１を有しているので、蒸気が貯留水の水面まで浮上するまでの時間、即ち、蒸気と貯留水との接触時間をより長くすることができる。
【００２７】
また、供給部２は、容器１０の軸心Ｘを中心とする周方向に蒸気を噴出することによって、貯留水に旋回流を発生させることができる（図２の太矢印参照）。その結果、貯留水中に噴出された蒸気は、旋回流の流れに乗って、貯留水中を進む距離がさらに延長される。これにより、蒸気が貯留水の水面に浮上するまでの時間を遅くさせ、蒸気と貯留水との接触時間をより長くすることができる。さらに、旋回流が発生することにより、伝熱管３と接する貯留水の流れが速くなり、伝熱管３と貯留水との熱交換が促進される。このことによっても、熱交換能力が向上する。
【００２８】
さらに、供給部２は、軸心Ｘ回りの周方向における複数箇所に配置された複数の分岐管２２を有している。そのため、周方向の複数箇所から蒸気が周方向に噴射される。これにより、旋回流がより発生しやすくなる。
【００２９】
さらに、供給部２は、下流部２５の噴口における、軸心Ｘを中心とする接線方向に対して少し外側（即ち、軸心Ｘから離れる側）に向かって蒸気を噴出する。仮に、接線方向に対して内側に向かって蒸気が噴出されると、蒸気は、軸心Ｘに向かって螺旋状に進み、比較的小さな半径の旋回流となる。それに対し、接線方向に対して外側に向かって蒸気が噴出されると、蒸気がそのまま進んだとしても、蒸気は、周壁１１に当たり、周壁１１に沿って流れる。その結果、比較的大きな半径の旋回流となる。これにより、蒸気が貯留水中を進む距離を長くすることができ、蒸気と貯留水との熱交換量を増加させることができる。
【００３０】
それに加えて、ガイド６は、供給部２の蒸気の噴出方向に沿って延びている。これにより、蒸気の拡散を抑制し、蒸気の指向性を高め、旋回流をより生じやすくすることができる。特に、ガイド６は、供給部２の蒸気の噴出方向に沿って延びる一対の側壁６２を有しているので、蒸気が軸心Ｘを中心とする半径方向の外側や内側に逸れていくことを防止し、蒸気の指向性を高めることができる。
【００３１】
さらに、伝熱管３をガイド６内に配置することによって、伝熱管３と蒸気及び貯留水との熱交換を促進することができる。つまり、蒸気及び高温の貯留水が拡散することなく、集中的に流れる中に伝熱管３が配置されているので、より多くの蒸気及び高温の貯留水が伝熱管３と熱交換を行うようになる。
【００３２】
また、伝熱管３は、高さ方向において、供給部２の噴口とガイド６の上壁６１の間に配置されているので、供給部２の噴口から噴出された蒸気が上壁６１まで浮上する間に、伝熱管３と接触しやすくなる。このことによっても、蒸気と伝熱管３との熱交換が促進される。
【００３３】
さらに、上壁６１まで浮上した蒸気は、ガイド６内を上壁６１に沿って流れる。伝熱管３は、上壁６１の下面に沿って（即ち、下面の近傍に）配置されている。そのため、上壁６１に沿って流れる蒸気は、伝熱管３と接触しやすい。このことによっても、蒸気と伝熱管３との熱交換が促進される。
【００３４】
以上のように、熱交換器１００は、水（液体）を貯留する貯留部１４が設けられた容器１０と、貯留部１４の水中に蒸気を供給する供給部２と、貯留部１４内に収容され、貯留部１４の水及び供給部２から供給された蒸気と熱交換を行う伝熱管３（伝熱部）とを備え、供給部２は、水平（即ち、貯留部１４の水の深さ方向に対して直交する方向）に蒸気を噴出する。
【００３５】
この構成によれば、貯留部１４の水中に噴出された蒸気は、単純に上方に浮上するのではなく、水平方向に流れながらしだいに浮上していく。そのため、蒸気が貯留水中を進む距離が長くなり、蒸気と貯留水との接触時間も長くなる。これにより、貯留水中の比較的深い位置から蒸気を供給しなくても、熱交換能力を確保することができる。さらには、貯留水中の比較的浅い位置から供給することができるので、蒸気使用装置等から蒸気を排出する圧力、即ち、蒸気の供給圧力を低減することができる。これらの結果、熱交換能力の向上と蒸気の供給圧力の低減とを両立させることができる。
【００３６】
また、熱交換器１００は、供給部２から噴出された蒸気の流れを案内するガイド６をさらに備え、ガイド６は、供給部２から噴出された蒸気を、水平（即ち、深さ方向に対して直交する方向）に案内する。
【００３７】
この構成によれば、貯留水中に噴出された蒸気が水平方向に進む距離がより長くなる。その結果、蒸気が貯留水の水面まで浮上するまでの時間が遅くなり、蒸気と貯留水との接触時間がより長くなる。
【００３８】
さらに、ガイド６は、蒸気の浮上を規制して、蒸気を水平（即ち、深さ方向に対して直交する方向）に案内する上壁６１を有し、伝熱管３の少なくとも一部は、上壁６１の下方に配置されている。
【００３９】
この構成によれば、貯留水中に噴出された蒸気は、上壁６１によって浮上が規制され、上壁６１の下方を上壁６１に沿って流れる。そして、上壁６１の下方には、伝熱管３が配置されているので、蒸気と伝熱管３との接触が促進される。その結果、熱交換能力を向上させることができる。
【００４０】
また、供給部２は、貯留部１４において、深さ方向に延びる軸心Ｘ回りの旋回流が発生する方向に蒸気を噴出する。
【００４１】
この構成によれば、貯留水に軸心Ｘ回りの旋回流が発生するようになる。蒸気の噴出方向による効果に加えて、蒸気が旋回流に乗って流れることによっても、蒸気が貯留水中を進む距離が長くなる。それに加えて、旋回流が発生することにより、伝熱管３と接する貯留水の流れが速くなり、伝熱管３と貯留水との熱交換が促進される。
【００４２】
さらに、供給部２は、貯留部１４において、深さ方向に延びる軸心Ｘ回りの周方向における複数箇所から蒸気を噴出する。
【００４３】
この構成によれば、軸心Ｘ回りの周方向における複数箇所から蒸気が噴出されるので、旋回流が発生しやすくなる。
【００４４】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、前記実施形態で説明した各構成要素を組み合わせて、新たな実施の形態とすることも可能である。また、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４５】
前記実施形態について、以下のような構成としてもよい。
【００４６】
例えば、熱交換器１００の各要素の構成は、一例に過ぎず、様々な構成を採用することができる。
【００４７】
熱交換器１００は、伝熱部として伝熱管３を採用しているが、これに限られるものではない。伝熱管３は、コイル状でなくてもよい。また、伝熱管３は、フィンチューブ型であってもよい。さらには、伝熱部は、ヒートシンク等であってもよい。
【００４８】
供給部２は、８個の分岐管２２を有し、容器１０の複数箇所から蒸気を供給しているが、これに限られるものではない。供給部２は、容器１０の１箇所から蒸気を供給してもよい。また、分岐管２２の個数は、７個以下であってもよく、９個以上であってもよい。
【００４９】
さらに、供給部２は、蒸気を貯留水中に水平に噴出しているが、貯留水の深さ方向に対して傾斜又は直交する方向に蒸気を噴出する限り、任意の方向に蒸気を噴出することができる。蒸気を単純に上方に噴出する構成と比較して、蒸気を深さ方向に対して少なくとも傾斜させることによって、比較的浅い位置から蒸気を噴出したとしても蒸気が貯留水中を進む距離を確保することができる。つまり、供給圧力を低減しつつ、熱交換能力を確保することができる。例えば、下流部２５は、中間部２４から水平方向ではなく、斜め下方又は斜め上方に延びていてもよい。
【００５０】
また、供給部２は、蒸気を軸心Ｘ回りの周方向に噴出しているが、これは好ましい例であり、供給部２は、蒸気をそれ以外の方向に噴出してもよい。例えば、供給部２は、蒸気を軸心Ｘを中心とする半径方向内側又は外側に蒸気を噴出してもよい。ただし、貯留水に旋回流を発生させる観点からは、供給部２は、蒸気を半径方向に対して傾斜又は直交する方向に蒸気を噴出することが好ましい。
【００５１】
また、ガイド６は、省略してもよい。ただし、蒸気の拡散を防止して、旋回流の発生の促進又は伝熱管３との熱交換を促進のためには、ガイド６を設けることが好ましい。
【産業上の利用可能性】
【００５２】
以上説明したように、ここに開示された技術は、熱交換器について有用である。
【符号の説明】
【００５３】
１００      熱交換器
１０        容器
１４        貯留部
２          供給部
３          伝熱管（伝熱部）
６          ガイド
６１        上壁
Ｘ          軸心
【図１】
2018063096.tif 000003
【図２】
2018063096.tif 000004
【図３】
2018063096.tif 000005